(57)【要約】 【課題】本発明は、家畜など動物の耳に耳標を取り付けるための耳標取付具に関する発明である。【解決手段】本発明は、上面先端部に容器ガイド部を備え下面先端部に上前後アームを取付け、下面中央部に上ストッパー部を備えた上ハンドル本体と前記上ハンドル本体の右端に連接された連結部からなる上ハンドル部と、前記下面先端部に容器ガイド部を備え上面先端部に下前後アームを取付け上面中央部に下ストッパー部とピンを備えた下ハンドル本体と前記下ハンドル本体の右端に連設された連結部からなる下ハンドル部とからなり、前記上下ハンドル部の連結部同士を回動可能に連結し、上下ハンドルの内側に形成した突起同士をバネを介して連結したことを特徴とする耳標取付具の構成とした。【選択図】  図１
2007053973.tif 000002
【特許請求の範囲】
【請求項１】
上面先端部に容器ガイド部を備え下面先端部に上前後アームを取付け、下面中央部に上ストッパー部を備えた上ハンドル本体及び前記上ハンドル本体の右端に連接された連結部からなる上ハンドルと、前記下面先端部に容器ガイド部を備え上面先端部に下前後アームを取付け、上面中央部に下ストッパー部とピンを備えた下ハンドル本体と前記下ハンドル本体の右端に連設された連結部からなる下ハンドルとからなり、前記上下ハンドルの連結部同士を回動可能に連結し、上下ハンドルの内側に形成した突起同士をバネを介して連結したことを特徴とする耳標取付具。
【発明の詳細な説明】
【技術分野】
【０００１】
本発明は、家畜など動物の耳に耳標を取り付けるための耳標取付具に関する発明である。
【背景技術】
【０００２】
従来の耳標取付具は、引き金を引くことでオス型耳標がメス型耳標にと係合するハンドガンタイプの耳標取付具であった。
【０００３】
しかしながら、従来の耳標取付具ではグリップ部分の開口幅が広く、取付具自身も重く、耳標取付けの際に相当の力を有する強固な構造であり、使い勝手の悪いものであった。そのため、一日に数十頭の耳標取付け作業を行うことは作業者に相当な負担がかかるものであった。
【０００４】
また、耳標取付専用器であるにも係わらず、オス型とメス型との芯ズレを起こし正確に打ち込みが出来ないこともあり、家畜に不要な傷を負わせることがあった。
【特許文献１】特開平０８−１７２９６１号公報
【発明の開示】
【発明が解決しようとする課題】
【０００５】
そこで、本発明は、取付具自身が軽量で取り扱いが容易で、取付けの際にオス型とメス型の芯ズレがなく正確に耳標を取り付けることができる耳標取付具を提供することを目的とするものである。
【課題を解決するための手段】
【０００６】
本発明は、上記の課題を解決するために、上面先端部に容器ガイド部１２を備え下面先端部に上前後アーム６、７を取付け更に下面中央部に上ストッパー部１０を備えた上ハンドル本体４ａと上ハンドル本体４ａの右端に連接された連結部４ｂからなる上ハンドル２部と、
下面先端部に容器ガイド部１２を備え上面先端部に下前後アーム８、９を取付け更に上面中央部に下ストッパー部１１とピン１３を備えた下ハンドル本体５ａと下ハンドル本体５ａの右端に連設された連結部５ｂからなる下ハンドル部３とからなり、
前記上下ハンドル部２、３の連結部４ｂ、５ｂ同士を回動可能に連結し、更に上下ハンドル２、３の内側に形成した突起４ｈ、５ｇ同士をバネ１６を介して連結したことを特徴とする耳標取付具１の構成とした。
【発明の効果】
【０００７】
本発明の耳標取付具は、上下ハンドル部が耳標オス及び耳標メスを保持し、耳標オス及び耳標メスを容易に係合することができる。
【０００８】
また、耳標を係合させる間は上下ストッパーがアームに引っ掛かりアームが開かない機能を備えており、耳標が完全に係合した後でのみアーム解放防止機構が外れるため、耳標を正確に取り付けることができる。
【０００９】
更に、ピンにより耳標を引っ張る際にハンドルが開かない機能を有し、耳標を係合させ、耳標取付具より取り外した後、ピンを解除することによりハンドルが定位置まで開く機能を有しているため作業途中でハンドルが開いてしまうことがない。
【発明を実施するための最良の形態】
【００１０】
耳標を容易に、また安全かつ正確に動物に取り付けることができる耳標取付具という目的を上下アーム、上下ガイド、ピン、容器ガイドを備えることによって実現した。
【実施例１】
【００１１】
図１は本発明である耳標取付具の正面図、図２は耳標取付具の閉じた状態を示した正面図、図３は耳標取付具の平面図である。図１から図３に示すように、本発明である耳標取付具１は、互いに回動可能に連結された上下ハンドル部２、３と、上下ハンドル部２、３を連結するバネ１６とからなる。
【００１２】
上ハンドル部２は、上ハンドル４と、上ハンドル４の左部上面に取り付けられた容器ガイド部１２と、上ハンドル４の左部下面に取り付けられた上前後アーム６、７と、上ハンドル４の中央下面に取り付けられた上ストッパー部１０とからなる。
【００１３】
一方、下ハンドル部３は、下ハンドル５と、下ハンドル５の左部下面に取り付けられた容器ガイド部１２と、下ハンドル５の左部上面の取り付けられた下前後アーム８、９と、下ハンドル５の中央上面に取り付けられた下ストッパー部１１と、下ハンドル５の中央よりやや右側上面に取り付けられたピン１３とからなる。
【００１４】
図２に示すように、本発明である耳標取付具１は、上下ハンドル部２、３を会同させて互いに近づけることで、上ハンドル部２の左端にセットされる耳標オス１４と、下ハンドル部３の左端にセットされる耳標メス１５を係合するための装置であり、アルミやプラスチックなど軽量な素材でできている。素材に関しては特にアルミやプラスチックに限定したものではない。以下に各部材の詳細を説明することとする。
【００１５】
図４は本発明である耳標取付具の上ハンドル部の正面図、図５は耳標取付具の上ハンドル部の平面図である。図４及び図５に示すように、上ハンドル部４は、上ハンドル本体４ａと上ハンドル本体４ａの右端に連結された連結部４ｂからなる。上ハンドル本体４ａの中間部４ｅはやや起伏して外方に向かって丸みを帯びており、中間部４ｅの下側には凹部４ｇ形成されている。
【００１６】
連結部４ｂは略円形をしており、正面及び背面の中央に軸４ｃを形成する突起があり、軸４ｃより上下の一直線上に制御突起４ｄが形成されている。制御突起４ｄは軸４ｃからの垂直な線上より数度角度をつけて形成されている。
【００１７】
上ハンドル本体４ａの先端部４ｆは略円状をしており、左端は末広がりの形状をしている。先端部４ｆの中央、即ち略円状部分の中央には先端部連結孔４ｉが穿設されており、先端部４ｆの中間部４ｅ側には２つの先端部連結孔４ｊ、４ｊが穿設されている。
【００１８】
図４及び図５に示すように、中間部４ｅの中央よりやや左側には中間部連結孔４ｌが穿設され、更に中間部連結孔４ｌよりやや左上側に中間部連結孔４ｋが穿設されている。一方、中間部４ｅの中央よりやや右側には略長方形状の上ストッパー取付孔４ｎが穿設され、更に上ストッパー取付孔４ｎの右側には２つの中間部連結孔４ｍ、４ｍが穿設されている。上ハンドル本体４ａのうち、中間部４ｅと連結部４ｂの間にあたる部分の更に中央下面には突起４ｈが垂設され、中間部連結孔４ｍと突起４ｈの間にはピン逃げ孔４ｏが穿設されている。
【００１９】
図６は本発明である耳標取付具の下ハンドル部の正面図、図７は耳標取付具の下ハンドル部の底面図である。図６及び図７に示すように、下ハンドル部５は、下ハンドル本体５ａと下ハンドル本体５ａの右端に連結された連結部５ｂからなる。下ハンドル本体５ａの中間部５ｄはやや起伏して外方に向かって丸みを帯びており、中間部５ｄの上側には凹部５ｆ形成されている。
【００２０】
連結部５ｂは略円形をしており、上ハンドル４の連結部４ｂを連結できるように隙間５ｐが設けられており、連結部５ｂの中央に軸受け５ｃが穿設されている。
【００２１】
上ハンドル本体５ａの先端部５ｅは略円状をしており、左端は末広がりの形状をしている。先端部５ｅの中央、即ち略円状部分の中央には先端部連結孔５ｈが穿設されており、先端部５ｅの中間部５ｄ側には２つの先端部連結孔５ｉ、５ｉが穿設されている。
【００２２】
図６及び図７に示すように、中間部５ｄの中央よりやや左側には中間部連結孔５ｋが穿設され、更に中間部連結孔５ｋよりやや左下側に中間部連結孔５ｊが穿設されている。一方、中間部５ｄの中央よりやや右側には略長方形状の下ストッパー取付孔５ｎが穿設され、更に下ストッパー取付孔５ｎの右側には２つの中間部連結孔５ｌ、５ｌが穿設されている。下ハンドル本体５ａのうち、中間部５ｄと連結部５ｂの間にあたる部分の更に中央上面には突起５ｇが垂設されている。
【００２３】
突起５ｇの左側には挿入隙間５ｏが穿設されており、挿入隙間５ｏを挟むようにピン連結部５ｍ、５ｍが形成されている。
【００２４】
図８は本発明である耳標取付具の上前後アーム部の底面図である。図８に示すように、上前アーム６は、一辺が起伏して丸みを帯びた先端部６ａと連結軸受け６ｇを備えた連結部６ｃと先端部６ａ及び連結部６ｃを連結する中間部６ｂと連結部６ｃに連設された後端部６ｄとからなる。
【００２５】
先端部６ａの起伏しない辺の中央には半円形の凹み６ｈが設けられており、また先端部６ａには起伏面の内側側面に隙間６ｆが設けられている。そのため、先端部６ａの起伏面よりも内側は一段低くなった耳標受け面６ｅとなっている。
【００２６】
図８に示すように、上後アーム７は、一辺が起伏して丸みを帯びた先端部７ａと、連結軸７ｇを備えた連結部７ｃと、先端部７ａ及び連結部７ｃを連結する中間部７ｂと、連結部７ｃに連接された後端部７ｄとからなる。
【００２７】
先端部７ａの起伏しない辺の中央には半円形の凹み７ｈが設けられており、また先端部７ａには起伏面の内側側面に隙間７ｆが設けられている。そのため、先端部７ａの起伏面よりも内側は一段低くなった耳標受け面７ｅとなっている。
【００２８】
以上のように、上前アーム６と上後アーム７は、連結軸受け６ｇと連結軸７ｇ以外は同形同大で対称であり、図８に示すように上前アーム６と上後アーム７の平坦の面を合わせ、連結軸受け６ｇに連結軸７ｇを回動可能に連結し一つの部材としている。
【００２９】
また、後端部６ｄ、７ｄの内側に設けられた孔にバネ６ｉを介しており、後端部６ｄ、７ｄを摘んで近づけることで連結軸受け６ｇと連結軸７ｇを始点として先端部６ａ、７ａが離れる構造となっている。
【００３０】
図９は本発明である耳標取付具の下前後アーム部の平面図である。図９に示すように、下後アーム８は、一辺が起伏して丸みを帯びた先端部８ａと連結軸受け８ｇを備えた連結部８ｃと先端部８ａ及び連結部８ｃを連結する中間部８ｂと連結部８ｃに連設された後端部８ｄとからなる。
【００３１】
先端部８ａの起伏しない辺の中央には半円形の凹み８ｈが設けられており、また先端部８ａには起伏面の内側側面に隙間８ｆが設けられている。そのため、先端部８ａの起伏面よりも内側は一段低くなった耳標受け面８ｅとなっている。
【００３２】
図９に示すように、下前アーム９は、一辺が起伏して丸みを帯びた先端部９ａと連結軸９ｇを備えた連結部９ｃと先端部９ａ及び連結部９ｃを連結する中間部９ｂと連結部９ｃに連接された後端部９ｄとからなる。
【００３３】
端部９ａの起伏しない辺の中央には半円形の凹み９ｈが設けられており、また先端部９ａには起伏面の内側側面に隙間９ｆが設けられている。そのため、先端部９ａの起伏面よりも内側は一段低くなった耳標受け面９ｅとなっている。
【００３４】
以上のように、下後アーム８と下前アーム９は連結軸受け８ｇと連結軸９ｇ以外は同形同大で対称であり、図９に示すように下後アーム８と下前アーム９の平坦の面を合わせ、連結軸受け８ｇに連結軸９ｇを回動可能に連結し一つの部材としている。
【００３５】
また、後端部８ｄ、９ｄの内側に設けられた孔にバネ８ｉを介しており、後端部８ｄ、９ｄを摘んで近づけることで連結軸受け８ｇと連結軸９ｇを始点として先端部８ａ、９ａが離れる構造となっている。
【００３６】
図１０は本発明である耳標取付具の上ストッパー部の正面図、図１１は耳標取付具の上ストッパー部の底面図である。図１０及び図１１に示すように、上ストッパー部１０は、階段状に屈曲した上ストッパー本体１０ａと略Ｌ字状に屈曲しストッパー先端１０ｇを備え上ストッパー本体１０ａに垂設されたストッパー１０ｆからなる。
【００３７】
上ストッパー本体１０ａの先端部１０ｂには連結孔１０ｄが穿設されており、またストッパー本体１０ａの後端には連結孔１０ｅ、１０ｅが穿設されている。ストッパー本体１０ａの中央部は凹部１０ｃとして凹んでおり、凹部１０ｃの中央には空洞１０ｈが設けられている。
【００３８】
図１２は本発明である耳標取付具の下ストッパー部の正面図、図１３は耳標取付具の下ストッパー部の平面図である。図１２及び図１３に示すように、ストッパー部１１は、階段状に屈曲した下ストッパー本体１１ａと略Ｌ字状に屈曲しストッパー先端１１ｇを備え下ストッパー本体１１ａに垂設されたストッパー１１ｆからなる。
【００３９】
下ストッパー本体１１ａの先端部１１ｂには連結孔１１ｅが穿設されており、またストッパー本体１１ａの後端には連結孔１１ｄ、１１ｄが穿設されている。ストッパー本体１１ａの中央部は凹部１１ｃとして凹んでおり、凹部１１ｃの中央には空洞１１ｈが設けられている。
【００４０】
図１４は本発明である耳標取付具の容器ガイド部の正面図、図１５は耳標取付具の容器ガイド部の平面図である。図１４及び図１５に示すように、容器ガイド部１２は、半分より左面に略Ｕ字状のＵ字溝１２ｇを形成した容器ガイド本体１２ａからなる。
【００４１】
容器ガイド本体１２ａのうちＵ字溝１２ｇの奥側に位置する辺にはガイド突起１２ｆが設けられており、他方前側に位置する辺には凸部１２ｅが設けられている。また、容器ガイド本体１２ａの右端側には２つの連結孔１２ｃ、１２ｃが穿設されており、更に容器ガイド本体１２ａの中央部下面は起伏部１２ｂとして脹らんでいる。
【００４２】
図１６は本発明である耳標取付具のピンの正面図である。図１６に示すように、ピン１３は、先端部１３ｂを形成して略Ｌ字状であるピン本体１３ａとピン本体１０ａの下端１３ｃに設けられた連結部１３ｄからなる。
【００４３】
下端１３ｃには連結部１３ｄを備え、連結部１３ｄの中央には軸１８ｇが備えられている。ピン本体１０ａの半分から下側の内部は空洞１３ｆとなっており、ピン本体１０ａのうち先端部１３ｂの下には凹み１３ｅが設けられている。
【００４４】
次に各部材の接続について説明する。図１、図５及び図８に示すように、上前アーム６の連結軸受け６ｇ及び上後アーム７の連結軸７ｇの中心と上ハンドル４の中間部連結孔４ｌを回動可能に連結し、このとき、先端部６ａ、７ａが上ハンドル４の先端部４ｆに重なる方向に向けて取り付ける。
【００４５】
次に図１、図７及び図９に示すように、下後アーム８の連結軸受け８ｇ及び下前アーム９の連結軸９ｇの中心と下ハンドル５の中間部連結孔５ｋを回動可能に連結し、このとき、先端部８ａ、９ａが下ハンドル５の先端部５ｅに重なる方向に向けて取り付ける。
【００４６】
図１、図１０に示すように、上ストッパー部１０は上前後アーム６、７を取り付けた上ハンドル４の中間部４ｅに取り付ける。このとき、連結孔１０ｅと中間部連結孔４ｍを連結し、連結孔１０ｄと連結軸受け６ｇ、連結軸７ｇ及び中間部連結孔４ｌを連結する。
【００４７】
図１、図１２に示すように、下ストッパー部１１は下前後アーム８、９を取り付けた下ハンドル５の中間部５ｄに取り付ける。このとき、連結孔１１ｄと中間部連結孔５ｌを連結し、連結孔１１ｅと連結軸受け８ｇ、連結軸９ｇ及び中間部連結孔５ｋを連結する。
【００４８】
図１、図６及び図１６に示すように、ピン１３は下ハンドル５のピン連結部５ｍに取り付ける。ピン１３の軸１３ｇにバネ１３ｈを取付け、バネ１３ｈの他端を下ハンドル本体５ａに係合させる。
【００４９】
図１、図５及び図１５に示すように、容器ガイド１２はハンドル４の先端部上面の先端部連結孔４ｊ、４ｊと連結孔１２ｃ、１２ｃを連結することによって取り付ける。また、図１、図７及び図１５に示すように、容器ガイド１２は下ハンドル５の先端部下面の先端部連結孔５ｉ、５ｉと連結孔１２ｃ、１２ｃを連結することによって取り付ける。
【００５０】
図１、図５及び図７に示すように、上ハンドル４と下ハンドル５は、下ハンドル５の連結部５ｂに設けられた隙間５ｐに上ハンドル４の連結部４ｂを挿入して回動可能に連結される。また、上ハンドル４の突起４ｈと下ハンドル５の突起５ｇをバネ１６によって連結する。
【００５１】
図１及び図８に示すように、上ハンドル部２に耳標オス１４を取り付けるには、上ハンドル部２の先端下側に設置された上前後アーム６、７の先端部６ａ、７ａに取り付ける。このとき、先端部６ａ、７ａの湾曲面に形成されている隙間６ｆ、７ｆに耳標オス１４の外周面を挿入して保持させる。挿入の際に後端部６ｄ、７ｄを摘むことで先端部６ａ、７ａが離れるため耳標オス１４を取り付けやすい。
【００５２】
図１及び図９に示すように、下ハンドル部３に耳標メス１５を取り付けるには、下ハンドル部３の先端下側に設置された下前後アーム８、９の先端部８ａ、９ａに取り付ける。このとき、先端部８ａ、９ａの湾曲面に形成されている隙間８ｆ、９ｆに耳標メス１５の外周面を挿入して保持させる。挿入の際に後端部８ｄ、９ｄを摘むことで先端部８ａ、９ａが離れるため耳標メス１５を取り付けやすい。
【図面の簡単な説明】
【００５３】
【図１】本発明である耳標取付具の正面図である。
【図２】本発明である耳標取付具の閉じた状態を示した正面図である。
【図３】本発明である耳標取付具の平面図である。
【図４】本発明である耳標取付具の上ハンドル部の正面図である。
【図５】本発明である耳標取付具の上ハンドル部の平面図である。
【図６】本発明である耳標取付具の下ハンドル部の正面図である。
【図７】本発明である耳標取付具の下ハンドル部の底面図である。
【図８】本発明である耳標取付具の上前後アーム部の底面図である。
【図９】本発明である耳標取付具の下前後アーム部の平面図である。
【図１０】本発明である耳標取付具の上ストッパー部の正面図である。
【図１１】本発明である耳標取付具の上ストッパー部の底面図である。
【図１２】本発明である耳標取付具の下ストッパー部の正面図である。
【図１３】本発明である耳標取付具の下ストッパー部の平面図である。
【図１４】本発明である耳標取付具の容器ガイド部の正面図である。
【図１５】本発明である耳標取付具の容器ガイド部の平面図である。
【図１６】本発明である耳標取付具のピンの正面図である。
【符号の説明】
【００５４】
１      耳標取付具
２      上ハンドル部
３      下ハンドル部
４      上ハンドル
４ａ    上ハンドル本体
４ｂ    連結部
４ｃ    軸
４ｄ    制御突起
４ｅ    中間部
４ｆ    先端部
４ｇ    凹部
４ｈ    突起
４ｉ    先端部連結孔
４ｊ    先端部連結孔
４ｋ    中間部連結孔
４ｌ    中間部連結孔
４ｍ    中間部連結孔
４ｎ    上ストッパー取付孔
４ｏ    ピン逃げ孔
５      下ハンドル
５ａ    下ハンドル本体
５ｂ    連結部
５ｃ    軸受け
５ｄ    中間部
５ｅ    先端部
５ｆ    凹部
５ｇ    突起
５ｈ    先端部連結孔
５ｉ    先端部連結孔
５ｊ    中間部連結孔
５ｋ    中間部連結孔
５ｌ    中間部連結孔
５ｍ    ピン連結部
５ｎ    下ストッパー取付孔
５ｏ    挿入隙間
５ｐ    隙間
６      上前アーム
６ａ    先端部
６ｂ    中間部
６ｃ    連結部
６ｄ    後端部
６ｅ    耳標受け面
６ｆ    隙間
６ｇ    連結軸受け
６ｈ    凹み
６ｉ    バネ
７      上後アーム
７ａ    先端部
７ｂ    中間部
７ｃ    連結部
７ｄ    後端部
７ｅ    耳標受け面
７ｆ    隙間
７ｇ    連結軸
７ｈ    凹み
８      下後アーム
８ａ    先端部
８ｂ    中間部
８ｃ    連結部
８ｄ    後端部
８ｅ    耳標受け面
８ｆ    隙間
８ｇ    連結軸受け
８ｈ    凹み
８ｉ    バネ
９      下前アーム
９ａ    先端部
９ｂ    中間部
９ｃ    連結部
９ｄ    後端部
９ｅ    耳標受け面
９ｆ    隙間
９ｇ    連結軸
９ｈ    凹み
１０      上ストッパー部
１０ａ    上ストッパー本体
１０ｂ    先端部
１０ｃ    凹部
１０ｄ    連結孔
１０ｅ    連結孔
１０ｆ    ストッパー
１０ｇ    ストッパー先端
１０ｈ    空洞
１１      下ストッパー部
１１ａ    下ストッパー本体
１１ｂ    先端部
１１ｃ    凹部
１１ｄ    連結孔
１１ｅ    連結孔
１１ｆ    ストッパー
１１ｇ    ストッパー先端
１１ｈ    空洞
１２      容器ガイド部
１２ａ    容器ガイド本体
１２ｂ    起伏部
１２ｃ    連結孔
１２ｄ    先端部
１２ｅ    凸部
１２ｆ    ガイド突起
１２ｇ    Ｕ字溝
１３      ピン
１３ａ    ピン本体
１３ｂ    先端部
１３ｃ    下端
１３ｄ    連結部
１３ｅ    凹み
１３ｆ    空洞
１３ｇ    軸
１３ｈ    バネ
１４      耳標オス
１５      耳標メス
１６      バネ
【図１】
2007053973.tif 000003
【図２】
2007053973.tif 000004
【図３】
2007053973.tif 000005
【図４】
2007053973.tif 000006
【図５】
2007053973.tif 000007
【図６】
2007053973.tif 000008
【図７】
2007053973.tif 000009
【図８】
2007053973.tif 000010
【図９】
2007053973.tif 000011
【図１０】
2007053973.tif 000012
【図１１】
2007053973.tif 000013
【図１２】
2007053973.tif 000014
【図１３】
2007053973.tif 000015
【図１４】
2007053973.tif 000016
【図１５】
2007053973.tif 000017
【図１６】
2007053973.tif 000018